(57)【要約】【課題】壁面緑化パネルの壁面への取り付け場所が制約されることなく、施工の手間がかからない壁面緑化パネル取付装置、および壁面緑化パネルを提供する。【解決手段】柱材１とＬ型金具２とパネル支持部材３とからなり、柱材１の側面に縦長の係合溝１１が形成されており、係合溝１１の開口部の両側縁に薄片１２が形成されており、Ｌ型金具２と薄片１２とは結合部材で接合されており、パネル支持部材３は柱材１に接合されている壁面緑化パネル取付装置である。Ｌ型金具２が柱材１の係合溝１１の任意の位置で接合可能であるので、壁面５の取り付け不可能な場所を避けて、柱材１を壁面５に設置することができる。そのため、壁面緑化パネルの壁面５への取り付け場所が制約されることがない。１本の柱材１を壁面５に設置するには、２つのＬ型金具２で足りるので、柱材１を壁面５に設置する施工の手間がかからない。【選択図】図１
2010138604.tif 000002
【特許請求の範囲】
【請求項１】
柱材と、該柱材を壁面に取り付ける壁面取付部材と、前記柱材に登攀補助パネルを取り付けるパネル支持部材とからなる壁面緑化パネル取付装置であって、
前記柱材の側面に、その長手方向に延びる係合溝が形成されており、
前記壁面取付部材は前記係合溝の長手方向における任意の位置で接合自在であり、
前記パネル支持部材は前記柱材に接合されている
ことを特徴とする壁面緑化パネル取付装置。
【請求項２】
請求項１記載の壁面緑化パネル取付装置が複数本壁面に設置され、
該複数本の壁面緑化パネル取付装置に掛け渡すように１枚もしくは複数枚の前記登攀補助パネルが前記パネル支持部材に取り付けられている
ことを特徴とする壁面緑化パネル。
【発明の詳細な説明】
【技術分野】
【０００１】
本発明は、壁面緑化パネル取付装置および壁面緑化パネルに関する。さらに詳しくは、壁面緑化パネルの壁面への取り付け場所が制約されることなく、施工の手間がかからない壁面緑化パネル取付装置、およびその壁面緑化パネル取付装置により取り付けられた壁面緑化パネルに関する。
【背景技術】
【０００２】
従来、都市部におけるヒートアイランド現象の緩和、大気中の炭酸ガスの吸収などのために建築物の壁面に植栽を施す壁面緑化が行われている。
壁面緑化の方法には、主なものとして、植物を壁面上部から下垂させる方法や植栽基盤を壁面に取り付ける方法のほか、壁面に金網やワイヤーなどの登攀補助材を配設し、その登攀補助材に蔓性植物を登攀させる方法がある。
【０００３】
その一例である特許文献１の壁面緑化の方法は、図１０に示すように、上記登攀補助材として金網１０４を用いたものであり、壁面１０１に所定間隔を有して埋設されているアンカー１０３にＴ型状ボルト１０５を螺着して、そのＴ型状ボルト１０５に金網１０４の線材の交差部位を固定する方法である。
しかるに、この従来方法では、金網１０４の交差部位に位置する壁面１０１にＴ型状ボルト１０５を螺着する必要があるが、壁面１０１に窓があったり、壁内部に鉄筋が通っていたりすると、Ｔ型状ボルト１０５を螺着するためのアンカー１０３を壁面１０１に埋設できず、金網１０４を配設できないという問題がある。
また、多数のＴ型状ボルト１０５が必要であるので、Ｔ型状ボルト１０５の螺着および金網１０４とＴ型状ボルト１０５との固定など、施工の手間が多くかかるという問題がある。
【０００４】
これに対し、特許文献２の壁面緑化の方法は、図１１に示すように登攀補助材として用いる金網２０３の外周をフレーム２０２で囲み壁面緑化パネル２０８とするものである。壁面緑化パネル２０８を壁面に施工する際には、フレーム２０２部分のみを壁面に取り付ければよい。そのため、特許文献１の方法に比べて取付部材の数を削減することができる。
しかるに、取り付け位置の壁面に窓があったり、壁内部に鉄筋が通っていたりすると取り付けができないという問題を解消することはできない。
また、壁面への取り付けは壁面緑化パネル２０８毎に行う必要があり、壁面緑化パネル２０８を多数組み合わせて施工する場合には取り付け箇所が多くなるため、施工に手間が掛かるという問題を十分に解消するものではない。
【０００５】
【特許文献１】特開２０００−１７６６７号
【特許文献２】特開平１０−３１３６９２号
【発明の開示】
【発明が解決しようとする課題】
【０００６】
本発明は上記事情に鑑み、壁面緑化パネルの壁面への取り付け場所が制約されることなく、施工の手間がかからない壁面緑化パネル取付装置、およびその壁面緑化パネル取付装置により取り付けられた壁面緑化パネルを提供することを目的とする。
【課題を解決するための手段】
【０００７】
第１発明の壁面緑化パネル取付装置は、柱材と、該柱材を壁面に取り付ける壁面取付部材と、前記柱材に登攀補助パネルを取り付けるパネル支持部材とからなる壁面緑化パネル取付装置であって、前記柱材の側面に、その長手方向に延びる係合溝が形成されており、前記壁面取付部材は前記係合溝の長手方向における任意の位置で結合自在であり、前記パネル支持部材は前記柱材に接合されていることを特徴とする。
第２発明の壁面緑化パネルは、第１発明の壁面緑化パネル取付装置が複数本壁面に設置され、該複数本の壁面緑化パネル取付装置に掛け渡すように１枚もしくは複数枚の前記登攀補助パネルが前記パネル支持部材に取り付けられていることを特徴とする。
【発明の効果】
【０００８】
第１発明によれば、壁面取付部材が柱材の係合溝の長手方向における任意の位置で接合自在であるので、窓や壁内部の鉄筋などの取り付け不可能な場所を避けて、柱材を壁面に設置することができる。そのため、壁面緑化パネルの壁面への取り付け場所が制約されることがない。また、１本の柱材を壁面に設置するには、２つの壁面取付部材を用いて２箇所を取り付ければ足りるので、柱材を壁面に設置する施工の手間がかからない。
第２発明によれば、登攀補助パネルの数箇所をパネル支持部材に取り付けることができるので、登攀補助パネルを強固に配設することができる。また、複数枚の登攀補助パネルを配設すれば、任意の形状、広さの壁面緑化パネルとして施工できる。さらに、一つの壁面取付部材に複数枚の登攀補助パネルを取付けることもできるので、施工の手間がかからない。
【発明を実施するための最良の形態】
【０００９】
つぎに、本発明の実施形態を図面に基づき説明する。
図１は本発明の一実施形態に係る壁面緑化パネル取付装置の部分拡大正面図である。図２は同壁面緑化パネル取付装置の部分拡大側面図である。図３は同壁面緑化パネル取付装置の平面図である。
【００１０】
図１に示すように、壁面緑化パネル取付装置は柱材１と壁面取付部材であるＬ型金具２とパネル支持部材３とからなる。本実施形態において柱材１は、中空の角パイプであり、アルミニウム製押出形材によって形成されている。柱材１の左右両側面には、柱材１の長手方向に沿って延びる係合溝１１が設けられている（図２参照）。この係合溝１１は断面視Ｔ型をしており、後述するナット２２およびボルト２１の端部が収まる形状となっている（図３参照）。また、係合溝１１の開口部の両側縁には、係合溝１１に沿って薄片１２が形成されている。これら係合溝１１と薄片１２で形成される空間にナット２２が収容されるようになっている。ナット２２の大きさに比べ、係合溝１１と薄片１２で形成される空間が大きくなるように形成されており、ナット２２が係合溝１１に沿って滑動可能となっている。
【００１１】
本実施形態において、壁面取付部材にはＬ型金具２を用いている。ボルト２１をＬ型金具２の一片に設けられた孔を通して、上記の係合溝１１に収められたナット２２に螺合することにより、Ｌ型金具２は柱材１に接合される。ボルト２１を緩めるとナット２２は係合溝１１に沿って動くことができるので、Ｌ型金具２も柱材１の係合溝１１の任意の位置に動かすことができる。Ｌ型金具２を所定の位置に動かした後に、ボルト２１を締めると、ナット２２とボルト２１で柱材１の薄片１２とＬ型金具２を挟み、Ｌ型金具２を柱材１に対して固定することができる。
【００１２】
前記Ｌ型金具２の他片に設けられた孔を通して、螺子２３を壁面５に螺合すると柱材１を壁面５に設置することができる。もちろん、壁面取付金具２と壁面５との設置には螺子２３に限られるものではなく、コンクリート釘など壁面５の材質によって適当なものを選択すればよい。また、壁面取付部材としては、Ｌ型金具２以外のものであっても、柱材１を壁面５に取り付けることができ、接合位置を変更できるものであれば、任意の金具を使用できる。
【００１３】
上記のとおり、Ｌ型金具２が柱材１の係合溝１１の長手方向における任意の位置で接合自在であるので、壁面５に窓があったり壁内部に鉄筋があったりして、螺子２３が取り付け不可能な場所がある場合でも、Ｌ型金具２を適した位置に配置し、柱材１を壁面５に設置することができる。そのため、壁面緑化パネルの壁面５への取り付け場所が制約されることがない。
【００１４】
また、柱材１は壁面緑化パネルを施工する範囲に合わせて任意の長さとすることができるが、１本の柱材１を壁面５に設置するには、２つのＬ型金具２を用いて２箇所を取り付ければ足りる。そのため、柱材１を壁面５に設置する施工の手間がかからない。
もちろん、Ｌ型金具２の数を増やして柱材１を強固に壁面５に設置することも可能である。登攀補助パネル４およびそれに登攀する植物の重量を考慮してＬ型金具２の数を選択すればよい。
【００１５】
さらに、柱材１には係合溝１１が左右両側面に設けられているので、Ｌ型金具２を左右に取り付けることにより、柱材１を強固に壁面５に設置することが可能である。ただし、左右両側面に係合溝１１を設けることは必ずしも必要ではなく、片面のみに係合溝１１を設ける構成としてもよい。
【００１６】
つぎに、上記壁面緑化パネル取付装置を用いて施工した壁面緑化パネルについて説明する。
図１に示すように、柱材１の正面にはパネル支持部材３が螺子などで接合されている。このパネル支持部材３に登攀補助パネル４を取り付ければ、壁面緑化パネルとして施工できる。
登攀補助パネル４は、特に限定はないが、二重金網などを用いればよい。
【００１７】
登攀補助パネル４はパネル支持部材３に取り付ければよく、直接壁面５に取り付ける必要がない。そのため、壁面５への取り付け場所が制約されることなく、柱材１の任意の位置で登攀補助パネル４を取り付けることができる。また、パネル支持部材３は柱材１の正面の任意の位置に任意の数量取り付けることが可能である。そのため、登攀補助パネル４の大きさ、重量などに合わせてパネル支持部材３の位置、数量を選択することができる。
【００１８】
図４は本発明の一実施形態に係る壁面緑化パネルの正面図である。図５は同壁面緑化パネルの側面図である。図６は同壁面緑化パネルの平面図である。
図４に示すように、２本の柱材１を壁面５に設置し、その２本の柱材１に掛け渡すように登攀補助パネル４１、４２を配設することができる。本実施形態では登攀補助パネル４１と、登攀補助パネル４２の２枚を配設している。
【００１９】
各登攀補助パネル４１、４２の４角付近をパネル支持部材３に取り付けることができるので、登攀補助パネル４１、４２を強固に配設することができる。また、登攀補助パネル４１、４２は２枚に限らず、１枚でもよいし、３枚以上を取り付けてもよい。そのため、任意の広さの壁面緑化パネルとして施工することができる。
さらに、複数枚の登攀補助パネル４１、４２を配設したとしてもＬ型金具２の数量を増やす必要がない。例えば、２枚の登攀補助パネル４１、４２を直接壁面５に配設する場合には、各登攀補助パネル４１、４２の４角を壁面５に取り付けるとすると、合計８箇所で壁面５に取り付けなければならない。これに対して、本実施形態のように２本の柱材１と２枚の登攀補助パネル４１、４２を用いて施工した場合は、Ｌ型金具２は４つで足りる。そのため施工の手間がかからない。
【００２０】
なお、本実施形態において２本の柱材１は平行に取り付けているが、並行ではなく互いに傾きをもって配置してもよい。
【００２１】
図４に示すように、壁面緑化パネルの下に植栽ポット６を配置し、植栽ポット６で蔓性植物を育成することにより、蔓性植物を登攀補助パネル４１、４２に登攀させて、壁面緑化することが可能である。
【００２２】
図７は登攀補助パネルの配置を変更した実施形態に係る壁面緑化パネルの正面図である。図８は同壁面緑化パネルの側面図である。図９は同壁面緑化パネルの平面図である。
【００２３】
図７に示すように、柱材１を水平にして壁面５に設置することも可能である。２本の長尺の柱材１を水平にして壁面５に設置し、その２本の柱材１に掛け渡すように登攀補助パネル４１、４２を配設すると横長の壁面緑化パネルとすることができる。
このように、壁面５への取り付け場所が制約されることなく、任意の形状、広さの壁面緑化が可能である。
【図面の簡単な説明】
【００２４】
【図１】本発明の一実施形態に係る壁面緑化パネル取付装置の部分拡大正面図である。
【図２】同壁面緑化パネル取付装置の部分拡大側面図である。
【図３】同壁面緑化パネル取付装置の平面図である。
【図４】本発明の一実施形態に係る壁面緑化パネルの正面図である。
【図５】同壁面緑化パネルの側面図である。
【図６】同壁面緑化パネルの平面図である。
【図７】登攀補助パネルの配置を変更した実施形態に係る壁面緑化パネルの正面図である。
【図８】同壁面緑化パネルの側面図である。
【図９】同壁面緑化パネルの平面図である。
【図１０】特許文献１の壁面緑化方法の説明図である。
【図１１】特許文献２の壁面緑化方法の説明図である。
【符号の説明】
【００２５】
１      柱材
１１    係合溝
１２    薄片
２      Ｌ型金具
２１    ボルト
２２    ナット
２３    螺子
３      パネル支持部材
４      登攀補助パネル
４１    登攀補助パネル
４２    登攀補助パネル
５      壁面
６      植栽ポット
【図１】
2010138604.tif 000003
【図２】
2010138604.tif 000004
【図３】
2010138604.tif 000005
【図４】
2010138604.tif 000006
【図５】
2010138604.tif 000007
【図６】
2010138604.tif 000008
【図７】
2010138604.tif 000009
【図８】
2010138604.tif 000010
【図９】
2010138604.tif 000011
【図１０】
2010138604.tif 000012
【図１１】
2010138604.tif 000013